(57)【要約】      （修正有）【課題】対向する２枚の基板を所定間隔を介して容易に着脱可能に連結する基板連結具を提供する。【解決手段】対向する２枚の基板を所定間隔を介して連結する基板連結具であって、前記基板連結具はスペーサー１と雌スナップ５とからなる。前記スペーサー１の一端には一の基板６に固着される固着部が形成され、他端には他の基板７に挿通されて前記雌スナップ５が着脱可能に嵌合される凸部と、前記挿通された他の基板７の受け部となる基板受け部４とを形成する。前記雌スナップ５を前記凸部に嵌合し、もって前記雌スナップ５と前記基板受け部４とで前記他の基板７を挟持して固定し、２枚の基板を連結するものとして構成する。【選択図】図２
0003165606.tif 000002
【実用新案登録請求の範囲】
【請求項１】
対向する２枚の基板を所定間隔を介して連結する基板連結具であって、
前記基板連結具はスペーサーと雌スナップとからなり、
前記スペーサーの一端には一の基板に固着される固着部が形成され、
他端には他の基板に挿通され前記雌スナップが着脱可能に嵌合される凸部と、前記挿通さ
れた他の基板の受け部となる基板受け部とが形成され、
前記雌スナップを前記凸部に嵌合し、もって前記雌スナップと前記基板受け部とで前記他
の基板を挟持して固定し、２枚の基板を連結するものとした、
基板連結具。
【請求項２】
凸部の立ち上がり部には、他の基板に設けられた挿入孔に嵌装される段部が形成された、
請求項１記載の基板連結具。
【請求項３】
固着部はフランジ状に形成された、請求項１又は２記載の基板連結具。
【考案の詳細な説明】
【技術分野】
【０００１】
この考案は、対向する２枚の基板を所定間隔を介して連結する基板連結具に関するもの
である。
【背景技術】
【０００２】
従来、対向する２枚の基板を所定間隔を介して連結する場合、所定箇所に挿通孔が設け
られた一の基板に、所望する２枚の基板間の間隔以上の長さを有するビスを挿通し、中心
部に貫通孔が設けられた筒状スペーサーの貫通孔にこのビスを挿入し、さらに所定箇所に
挿通孔が設けられたもう一方の基板の挿通孔に挿通した後、ナットなどをこのビスに螺合
させて締め付けて２枚の基板を連結していた。すなわち、基板を連結するためには、ビス
、スペーサー、ナットという３つの部品が必要であった。
【０００３】
しかしながら、この手法によれば、一方の基板にビスを挿通させてからスペーサーを介
在させた上で他方の基板にこのビスを挿通させ、さらにナット留めをしなければならず、
基板の連結作業に手間がかかるものであった。
また、スペーサーが独立した一部品となっているために、連結作業においてビスへの挿
入に失敗したり、スペーサー自体を紛失してしまうおそれもあった。
【０００４】
かかる問題点を解決するものとして、例えば、特開平０７−２６９５３７号公報に記載
された発明が提案されている。
この発明は、筒状のスペーサーの一端にフランジが形成され、金属製基板に設けられた
孔に筒状スペーサを挿通してスペーサーのフランジ部を基板の孔の周縁部に当接させ、フ
ランジ部を押圧することによって金属製基板の孔の周縁部を塑性変形させて、スペーサー
と基板とをかしめ合わせるようにして固着させるものである。このような固着方法は、一
般に「クリンチング」と称されている。
一方、筒状スペーサーの他端は開口しており、内径にはネジ溝が形成されている。
【０００５】
この発明によれば、対向する２枚の基板を所定間隔を介して連結する場合、一方の基板
にスペーサーを圧入して固着させた後、他方の基板をこのスペーサーの先端に載置し、こ
の基板を介してスペーサーの内径に設けられたネジ溝にビスを螺合させることによって、
２枚の基板を所定間隔を介して連結することができる。
このとき、スペーサーは一方の基板に固着されているから、他方の基板を連結する際に
は、他方の基板側からビス留めするだけでよく、作業が簡略化されるとともに、作業中に
スペーサーを紛失してしまうおそれもない。
【０００６】
しかしながら、この発明は、他方の基板の固定はビス留めによるものとしているから、
ビスを回転させて締め付ける作業が必須となり、依然として連結作業には時間がかかる。
また、ビス留め作業においては、締め付けトルクが大きすぎると基板を破損し、逆に小さ
すぎるとビス留めに緩みが生じるおそれがある。
加えて、他方の基板を固定する際に、スペーサーに設けられたビス孔と他の基板に設け
られた挿通孔との位置合わせをしながら他の基板をスペーサー先端部に載置しなければな
らず、作業が面倒である。
さらには、スペーサー側には固定用のビスと適切に螺合するよう、精度の高いネジ溝を
設けなければならない。
【特許文献１】特開平０７−２６９５３７号公報
【考案の開示】
【考案が解決しようとする課題】
【０００７】
この考案は、対向する２枚の基板を所定間隔を介して容易に着脱可能に連結する基板連
結具を得ることを課題とするものである。
【課題を解決するための手段】
【０００８】
この考案は、対向する２枚の基板を所定間隔を介して連結する基板連結具であって、前
記基板連結具はスペーサーと雌スナップとからなり、前記スペーサーの一端には一の基板
に固着される固着部が形成され、他端には他の基板に挿通されて前記雌スナップが着脱可
能に嵌合される凸部と、前記挿通された他の基板の受け部となる基板受け部とが形成され
、前記雌スナップを前記凸部に嵌合し、もって前記雌スナップと前記基板受け部とで前記
他の基板を挟持して固定し、２枚の基板を連結するものとして構成されている。
この考案において、基板とは電気回路が組み込まれた回路基板の他、板金や各種パネル
など薄手の板体を含むものとする。
スペーサーは、ステンレスや鉄などの金属の他、樹脂など素材で構成することが考えら
れ、連結する２枚の基板の間隔に応じて適当な長さの円柱や角柱等の柱状に形成すること
ができる。
スペーサーの固着部と基板との固着は、溶接や溶着、接着剤を用いた接着の他、固着部
を基板に対して押圧することによって基板の孔の周縁部を塑性変形させスペーサーと基板
とをかしめ合わせるようにして固着させるクリンチングが考えられる。クリンチングによ
って固着する場合には、固着部は、スペーサーを基板に圧入したときに基板を塑性変形さ
せるための段部やフランジ部を備えるものとするのが好ましい。また、クリンチングによ
って固着する場合、スペーサーは基板よりも硬度が高い素材で構成するのが好ましい。
雌スナップは、布片等を重ね合わせて結合するための汎用的なスナップのうち、凸部を
着脱可能に嵌合させることができる嵌合孔を有するものを用いることができ、ステンレス
や鉄、真鍮などの金属の他、樹脂など素材で構成することが考えられる。
【０００９】
請求項２の考案は、凸部の立ち上がり部には、他の基板に設けられた挿入孔に嵌装され
る段部が形成されたことを特徴とするものである。
段部は、基板に設けられた挿通孔にスペーサーの凸部を挿通させた際、基板のぐらつき
を防止するためのものであって、段部全体が基板の挿通孔に嵌装されるものとしてもよい
し、凸部の立ち上がり部に縦方向のリブを形成して基板の挿通孔に嵌装されるものとして
もよい。また、段部の高さは嵌装される他の基板の板厚程度の高さとするのが好ましいが
、嵌装された状態において他の基板の位置が仮止めされるものであればこれに限定される
ものではない。
【００１０】
請求項３の考案は、固着部がフランジ状に形成されたことを特徴とするものである。
フランジは固着される基板の挿通孔の径より大きな径であればよく、その周縁は弧状や
鋸刃状に形成することが考えられる。
【考案の効果】
【００１１】
この考案によれば、対向する２枚の基板を所定間隔を介して連結する基板連結具をスペ
ーサーと雌スナップとで構成し、このスペーサーの一端には一の基板に固着される固着部
を形成し、他端には雌スナップが着脱可能に嵌合される凸部と、他の基板の受け部となる
基板受け部とを形成したので、スペーサーの一端を一の基板に固着した上で、他の基板に
設けられた挿通孔に凸部を挿通させて他の基板を基板受け部に載置し、雌スナップを凸部
に嵌合させることによって容易に他の基板を基板受け部と雌スナップとで挟持して固定し
、２枚の基板を連結することができる。
そして、雌スナップの凸部への嵌合は着脱可能としてあるので、容易にスペーサー凸部
から離脱させることができ、他の基板を取り外すことができる。
したがって、ビス留めによらずに２枚の基板を着脱可能に連結することができる。
【００１２】
請求項２の考案によれば、凸部の立ち上がり部には、他の基板に設けられた挿入孔に嵌
装される段部が形成してあるので、他の基板を凸部に挿通させた際、この段部によって他
の基板の位置が仮止めされ、他の基板の位置ずれを防止することができ、基板の連結作業
の作業性を向上することができる。
【００１３】
請求項３の考案によれば、固着部をスペーサーの一端にフランジ状に形成してあるので
、クリンチングによる固着に好適である。すなわち、クリンチング作業時における押圧面
を平坦にすることができるので、クリンチング部に均等に圧力をかけることができ、確実
にクリンチング作業を行うことができる。
【考案を実施するための最良の形態】
【００１４】
以下、この考案の実施例を説明する。
【実施例１】
【００１５】
図１は、この考案の第１の実施例を示す図であり、図１（ａ）は雌スナップの、（ｂ）
はスペーサーの一部断面図である。
金属製（例えばステンレス）のスペーサー１は直径５ｍｍの円柱状に形成され、その一
端には固着部となるクリンチング部２を構成する溝２１と直径６ｍｍのフランジ２２とが
形成されている。この実施例においてフランジ２２の周縁は弧状に形成されているが、鋸
刃状に形成してもよい。
スペーサー１の他端には略円柱状の凸部３が形成されている。この凸部３は、先端より
２ｍｍの長さ部分が雌スナップ５と嵌合する嵌合部３１であって、この嵌合部３１の周壁
には先端より１．２ｍｍの位置から軸心方向に７°で傾斜する下細りのテーパー部３１ａ
が設けられている。この嵌合部３１の最大径は２．８８ｍｍ、最小径は２．６２ｍｍにな
るように形成されている。
そして、凸部３の立ち上がり部には直径３ｍｍの円柱状の段部３２が形成されている。
この段部３２の高さは後述する基板７の板厚よりも−０．１ｍｍの高さで形成されている
。
また、スペーサー１の他端には、段部３２がスペーサー１の直径よりも小さな径で形成
されることにより、基板受け部４が形成されている。
【００１６】
雌スナップ５は、真鍮製であり、直径２．７ｍｍの嵌合孔５１を有し、この嵌合孔５１
の周縁を構成する係止部５２から側壁が立ち上げられ、１．５〜１．６ｍｍの高さで外周
方向に反り返された後、再び内周方向へ反り返されて略Ｓ字状のバネ部５３を構成してい
る。雌スナップの直径は９．２ｍｍであり、高さは１．９ｍｍである。そして、バネ部５
３の下端は係止部５２の下端よりも低い位置になるように形成されている。
【００１７】
図２は、この考案の第１の実施例を用いて対向する２枚の基板を連結した状態を示す図
である。
下側の基板６はスペーサー１よりも軟性の金属で構成され、所定位置に予め直径５．０
ｍｍの挿通孔が設けられている。上側の基板７は特に材質に制限はないが、同様に予め直
径３．１ｍｍの挿通孔が設けられている。基板６の板厚は０．８ｍｍ、基板７の板厚は１
．０ｍｍである。
【００１８】
スペーサー１は、下側の基板６の下側から矢示の方向に挿通孔に挿通され、フランジ２
２がプレス機によって基板６に圧入されている。このとき、基板６はスペーサー１よりも
軟性の金属で構成されているから、フランジ２２が押圧されると基板６は溝２１に入り込
むように塑性変形され、スペーサー１のクリンチング部２と基板６とがかしめ合わされて
固着される。これによりスペーサー１と基板６とは完全に固着されることとなり、外れる
ことはない。
【００１９】
次いで、上側の基板７の挿通孔がスペーサー１の凸部３に挿通され段部３２に嵌装され
るとともに、挿通孔の周縁部が基板受け部４に載置される。このとき、段部３２と挿通孔
とが嵌装されていることから基板７が仮止めされ、位置ずれを生じることがない。
【００２０】
そして、基板７から突出した嵌合部３１に雌スナップ５の嵌合孔５１を嵌合させる。こ
こで、スペーサー１の嵌合部３１にはテーパー部３１ａが設けられ、このテーパー部３１
ａの最大径が２．８８ｍｍとなっている一方、雌スナップ５の嵌合孔５１の径は２．７ｍ
ｍであり、その周縁部には係止部５２が設けられているので、雌スナップ５はテーパー部
３１ａの途中で係止部５２に係止されることとなり、一定以上の力を加えないと嵌合部３
１から雌スナップ５を離脱することができない。
また、雌スナップ５のバネ部５３の下端は係止部５２よりも低い位置に形成されている
ことから、係止部５２がテーパー部３１ａで係止され、同時にバネ部５３の下端で基板７
を下方（スペーサー１方向）に押圧することができる。
したがって、基板７はスペーサー１の基板受け部４と雌スナップ５のバネ部５３とで挟
持して固定され、２枚の基板６，７をスペーサー１の長さの所定間隔を介して着脱可能に
連結することができる。
【００２１】
雌スナップ５をスペーサー１の凸部３より離脱する場合には、例えばニッパーのように
先端にかけて次第に薄く形成された板状のものを雌スナップ５と基板７との間に押し入れ
、てこの原理を用いて一定以上の力を雌スナップ５に加えれば、容易に離脱させることが
できる。雌スナップ５を凸部３から離脱した後、基板７を取り外すことが可能となる。
【実施例２】
【００２２】
図３は、この考案の第２の実施例におけるスペーサー１を示す図である。
この実施例におけるスペーサー１は、段部３２が縦方向のリブ状に形成されて、凸部３
の立ち上がり部周壁に４つ配設されている。その他の構成は、第１の実施例におけるスペ
ーサー１と共通する。
基板７を固定する際には、リブ状に形成された段部３２が基板７の挿入孔に嵌装されて
基板７が仮止めされるので、連結作業時における基板７の位置ずれを防止することができ
る。
【実施例３】
【００２３】
図４は、この考案の第３の実施例におけるスペーサーを示す部分断面図である。
第１の実施例におけるスペーサー１とは、クリンチング部２の構成において次のような
差異がある。
金属製のスペーサー１は直径６．０ｍｍの円柱状に形成され、その一端には直径５．１
ｍｍで鋸刃状の周縁を有する段部２３と直径４．５ｍｍの段部２４とが形成され、段部２
４の立ち上がり部には段部２３にかけて軸心方向に３０°で傾斜する上細りのテーパー部
２４ａが設けられ、クリンチング部２を構成している。
その他の構成については、雌スナップも含めて第１の実施例と共通する。
【００２４】
図５は、この考案の第３の実施例を用いて対向する２枚の基板を連結した状態を示す図
である。
下側の基板６はスペーサー１よりも軟性の金属で構成され、所定位置に予め直径４．５
ｍｍの挿通孔が設けられている。上側の基板７は特に材質に制限はないが、同様に予め直
径３．１ｍｍの挿通孔が設けられている。基板６は板厚１．４５ｍｍであり、基板７は板
厚１．０ｍｍである。
【００２５】
スペーサー１は、下側の基板６の上側から矢示の方向に挿通孔に挿通され、段部２３が
プレス機によって基板６に圧入される。このとき、基板６はスペーサー１よりも軟性の金
属で構成されているから、段部２３が圧入されると基板６がテーパー部２４ａに入り込む
ように塑性変形され、スペーサー１のクリンチング部２と基板６とがかしめ合わされて固
着される。これによりスペーサー１と基板６とは完全に固着されることとなり、外れるこ
とはない。
その他の構成は実施例１と同様である。
【実施例４】
【００２６】
図６は、この考案の第４の実施例におけるスペーサーを示す部分断面図である。
第１の実施例におけるスペーサー１とは、クリンチング部２の構成において次のような
差異がある。
金属製のスペーサー１は直径５．０ｍｍの円柱状に形成され、その一端には直径４．５
ｍｍで鋸刃状の周縁を有する段部２３と、先端部の直径が４ｍｍで段部２３にかけて軸心
方向に３０°で傾斜する上細りのテーパー状に形成された段部２４とが形成され、クリン
チング部２を構成している。
その他の構成については、雌スナップも含めて第１の実施例と共通する。
【００２７】
図７は、この考案の第４の実施例を用いて対向する２枚の基板を連結した状態を示す図
である。
下側の基板６はスペーサー１よりも軟性の金属で構成され、所定位置に予め直径４．５
ｍｍの挿通孔が設けられている。上側の基板７は特に材質に制限はないが、同様に予め直
径３．１ｍｍの挿通孔が設けられている。基板６，７ともに板厚は１．０ｍｍである。
【００２８】
スペーサー１は、下側の基板６の上側から矢示の方向に挿通孔に挿通され、段部２３が
プレス機によって基板６に圧入される。このとき、基板６はスペーサー１よりも軟性の金
属で構成されているから、基板６が段部２４のテーパーに入り込むように塑性変形され、
スペーサー１のクリンチング部２と基板６とがかしめ合わされて固着される。
その他の構成は実施例１と同様である。
【実施例５】
【００２９】
図８は、この考案の第５の実施例におけるスペーサーを示す部分断面図である。
第１の実施例におけるスペーサー１とは、クリンチング部２の構成において次のような
差異がある。
金属製のスペーサー１は直径５．５ｍｍの円柱状に形成され、その一端には直径４．５
５ｍｍで鋸刃状の周縁を有する膨出部２５とを備えたクリンチング部２が形成されている
。
その他の構成については、雌スナップも含めて第１の実施例と共通する。
【００３０】
図９は、この考案の第５の実施例を用いて対向する２枚の基板を連結した状態を示す図
である。
下側の基板６はプラスチックなどの合成樹脂素材で構成され、所定位置に予め直径４．
２ｍｍの挿通孔が設けられている。上側の基板７は特に材質に制限はないが、同様に予め
直径３．１ｍｍの挿通孔が設けられている。基板６の板厚は１．５ｍｍ、基板７の板厚は
１．０ｍｍである。
【００３１】
スペーサー１は、下側の基板６の上側から矢示の方向に挿通孔に圧入されている。すな
わち、プレス機によってスペーサー１に圧力がかけられると基板６の挿入孔よりも径の大
きい膨出部２５が基板６の挿通孔周縁部を押圧する。これにより、基板６が膨出部２５の
形状に嵌合するように変形され、スペーサー１のクリンチング部２と基板６とがかしめ合
わされて固着される。
その他の構成は実施例１と同様である。
【００３２】
上記実施例において記載した寸法等の数値は、連結する基板の大きさ、厚さ、重量、基
板間に設ける間隔、雌スナップの寸法等によって適宜選択されるものであって、これら実
施例における数値に限定されるものではない。
【産業上の利用可能性】
【００３３】
この考案は、対向する２枚の基板を所定間隔を介して容易に着脱可能に連結する基板連
結具に関するものであって、産業上の利用可能性を有するものである。
【図面の簡単な説明】
【００３４】
【図１】この考案の第１の実施例を示す部分断面図
【図２】同じく２枚の基板を連結した状態を示す部分断面図
【図３】この考案の第２の実施例におけるスペーサー１を示す部分断面図
【図４】この考案の第３の実施例におけるスペーサー１を示す部分断面図
【図５】同じく２枚の基板を連結した状態を示す部分断面図
【図６】この考案の第４の実施例におけるスペーサー１を示す部分断面図
【図７】同じく２枚の基板を連結した状態を示す部分断面図
【図８】この考案の第５の実施例におけるスペーサー１を示す部分断面図
【図９】同じく２枚の基板を連結した状態を示す部分断面図
【符号の説明】
【００３５】
１    スペーサー
２    クリンチング部
２１  溝
２２  フランジ
２３  段部
２４  段部
２４ａ  テーパー部
２５  膨出部
３    凸部
３１  嵌合部
３１ａ  テーパー部
３２  段部
４    基板受け部
５    雌スナップ
５１  嵌合孔
５２  係止部
５３  バネ部
６，７    基板
【図１】
0003165606.tif 000003
【図２】
0003165606.tif 000004
【図３】
0003165606.tif 000005
【図４】
0003165606.tif 000006
【図５】
0003165606.tif 000007
【図６】
0003165606.tif 000008
【図７】
0003165606.tif 000009
【図８】
0003165606.tif 000010
【図９】
0003165606.tif 000011